(57)【特許請求の範囲】
【請求項１】
枠体フレームの周縁に形成された膜材定着溝内に膜材の端部を定着して前記枠体フレームに内装膜材が張設された複数枚の天井膜材ユニットを、該天井膜材ユニットに取着された吊りピースを介して、天井構造材の前記吊りピースに対応する位置に固定されたフレーム固定手段に係止させるとともに、見切り縁化粧材で前記天井膜材ユニットで覆われた天井見切り部分を覆って取り付けたことを特徴とする天井膜材の取付構造。
【請求項２】
枠体フレームの周縁に形成された膜材定着溝内に膜材の端部を定着して前記枠体フレームに内装膜材が張設された複数枚の天井膜材ユニットを、該天井膜材ユニットに取着された吊りピースを介して、天井構造材の回り縁の前記吊りピースに対応する位置に固定されたフレーム固定手段に係止させるとともに、見切り縁化粧材で前記天井膜材ユニットで覆われた天井見切り部分を覆って取り付けたことを特徴とする天井膜材の取付構造。
【請求項３】
前記回り縁の対向する位置にワイヤを掛け渡し、該ワイヤに前記天井膜材ユニットの吊りピースの一部を係止させて天井膜材ユニットの落下防止手段としたことを特徴とする請求項２記載の天井膜材の取付構造。
【請求項４】
前記天井膜材ユニットは、蝶番を介して半割形状で施工場所に搬入され、前記蝶番部分で広げて全寸法として前記構造材のフレーム固定ピース部分に取り付けるようにしたことを特徴とする請求項１または請求項２に記載の天井膜材の取付構造。
【請求項５】
前記蝶番は、合成ゴム製プレートを前記枠体フレーム内に配置してなることを特徴とする請求項４記載の天井膜材の取付構造。
【発明の詳細な説明】
【０００１】
【発明の属する技術分野】
本発明は天井膜材の取付構造に係り、特に室内天井の内装材として不燃性の膜材を用いて効率よく見栄えの良い天井の内装を行えるようにした天井膜材の取付構造に関する。
【０００２】
【従来の技術及び発明が解決しようとする課題】
従来、天井は上部の構造材を覆い、かつ室内の美観を高めるためにクロス張り、ボード張り等の仕上げ材によって仕上げられている。また天井は一般に水平面で構成され、仕上げ材の自重を考慮した取り付けを行うため、使用する内装材料に応じたしっかりとした下地材の施工が必要となってくる。また、クロス内装張り等の場合には下地の良否により仕上げの出来映えが大きく左右するため、下地工事を含め、手間のかかる作業となっていた。
【０００３】
これに対して出願人は不燃性膜材を用いた所定寸法の天井膜材ユニットを開発し、これらの天井膜材ユニットを構造材の一部に取り付けていくことにより、見栄えの良い天井仕上げを実現することを目指した。そこで、本発明の目的は上述した従来の技術が有する問題点を解消し、迅速な施工が行え、取り付け後も見栄えの良い天井膜材の取付構造を提供することにある。
【０００４】
【課題を解決するための手段】
上記目的を達成するために、本発明は枠体フレームの周縁に形成された膜材定着溝内に膜材の端部を定着して前記枠体フレームに内装膜材が張設された複数枚の天井膜材ユニットを、該天井膜材ユニットに取着された吊りピースを介して、天井構造材の前記吊りピースに対応する位置に固定されたフレーム固定手段に係止させるとともに、見切り縁化粧材で前記天井膜材ユニットで覆われた天井見切り部分を覆って取り付けたことを特徴とする。
【０００５】
また、別発明として、枠体フレームの周縁に形成された膜材定着溝内に膜材の端部を定着して前記枠体フレームに内装膜材が張設された複数枚の天井膜材ユニットを、該天井膜材ユニットに取着された吊りピースを介して、天井構造材の回り縁の前記吊りピースに対応する位置に固定されたフレーム固定手段に係止させるとともに、見切り縁化粧材で前記天井膜材ユニットで覆われた天井見切り部分を覆って取り付けたことを特徴とする。
【０００６】
このとき、前記回り縁の対向する位置にワイヤを掛け渡し、該ワイヤに前記天井膜材ユニットの吊りピースの一部を係止させて天井膜材ユニットの落下防止手段とすることが好ましい。
【０００７】
以上の場合、前記天井膜材ユニットは、蝶番を介して半割形状で施工場所に搬入され、前記蝶番部分で広げて全寸法として前記構造材のフレーム固定ピース部分に取り付けるようにすることが好ましい。
【０００８】
前記蝶番は、合成ゴム製プレートを前記枠体フレーム内に配置した構造とすることが好ましい。
【０００９】
【発明の実施の形態】
以下、本発明の天井膜材の取付構造の実施の形態について、新設時、改修時を例にそれぞれにおいて使用される部材の構成について、添付図面を参照して説明する。
［新設天井膜材の施工］
図１は、天井内装の新設時に、本発明の天井膜材をユニット化し、所定枚数の天井膜材ユニットを天井部分に取り付けた施工例を示した平面図である。同図中、Ａ部分は天井部分を上部構造材側から下方に向けて見た平面図で、Ｂ部分は室内側から天井を見上げた見上げ平面図である。Ｂ部分では、天井面を覆う天井膜材ユニット１０の天井１と壁２との見切り部分に沿って見切り縁化粧材２０が取り付けられている。一方、Ａ部分では、各天井膜材ユニット１０の枠体フレーム１１を上部構造材（図示せず）に固定するためのフレーム固定ピース１５が所定間隔をあけて配設されている。
【００１０】
天井膜材ユニット１０は、本実施の形態では９００mm×２６００mmの長方形状の枠体フレーム１１に所定の規格を満たした合成繊維織布等の膜材を張設したもので、図１に示したように、４枚の天井膜材ユニット１０を並べて天井１全体を覆うことができるようになっている。枠体フレーム１１は、図２，図３に示したような扁平中空長方形断面からなるアルミニウム製型材を組み立てたもので、図１に示したように、剛性保持のために３本の中間継材１２が取り付けられている。また、枠体フレーム１１の外周を一周するように膜材定着溝１３が形成されている。この膜材定着溝１３の縁には係止爪１３ａが形成されており、図４各図に示したように、膜材５の端部５ａを膜材定着溝１３内に収容させた状態で膜材押えバー１４を膜材定着溝１３内にはめ込むことにより、それぞれの係止爪１３ａ、１４ａ同士が係合して膜材端部５ａをフレームに定着させることができる。なお、膜材としては不燃性能等の要求仕様を満たす素材で、張設可能な材料であれば各種のものを選択することができる。
【００１１】
図２，図３は、図４（ａ）に示した天井膜材ユニット１０をコンクリート躯体等の構造材３に取り付けるための取付構造の詳細と各部材の取り合いを示した部分斜視図である。図２，図３に示したように、天井膜材ユニット１０は構造材３側の複数箇所にネジ止めにより取り付けられたフレーム固定ピース１５と、天井膜材ユニット１０の上面に取り付けられ、フレーム固定ピース１５の係止部に係止する吊りピース１６により、天井空間の所定位置に固定して吊り下げられるようになっている。さらに、図４（ａ）に示したように、フレーム固定ピース１５の壁際には見切り縁化粧材２０の固定ピース１７がフレーム固定ピース１５と一体的にネジ１８により取り付けられている。
【００１２】
一方、天井膜材ユニット１０の上面には部材長手方向に断面が略Ｌ字形の係止レール１１ａが２本平行して型材として一体的に形成されており、この係止レール１１ａの任意の位置に吊りピース１６をネジ止めすることができる。
【００１３】
ここで、フレーム固定ピース１５と吊りピース１６に設けられた係止爪１５ａ，１６ａの係止による部材の固定について、図４（ａ）を参照して説明する。同図に示したように、フレーム固定ピース１５は構造材３にネジ１８で固定された状態で、下方に向けて延在する２本の平行な吊りフランジ１５Ａと、ネジ固定のための取付フランジ１５Ｂとを一体的に成形してなる型材で、特に吊りフランジ１５Ａの下端には、係止爪１５ａが形成され、係止爪１５ａの肩部分に吊りピース１６の係止爪１６ａの顎部分を係止して天井膜材ユニット１０全体を吊持させるようになっている。このとき隣接する天井膜材ユニット１０，１０間の接合部では、両方の天井膜材ユニット１０に取り付けられた吊りピース１６がそれぞれフレーム固定ピース１５の係止爪１５ａに係止するので、両者の隙間のない接合が可能となる。
【００１４】
一方、壁２の際の見切り部分では天井膜材ユニット１０の端部の仕舞いを調整するための縁部材１９を用いて天井膜材ユニット１０をフレーム固定ピース１５に対して遊びが生じないようにしている。さらに、この縁部材１９及び天井膜材ユニット１０の端部を隠すとともに、壁２と天井１との見切りのために見切り縁化粧材２０が取り付けられる。この一定幅の見切り縁化粧材２０を取り付けることにより壁２と天井膜材ユニット１０の端部との間に生じた隙間を覆い、見切り部分の見栄えを向上させることができる。
【００１５】
（変形例１）
以上に述べた天井膜材ユニット１０では、一旦天井の構造材３に取り付けられた天井膜材ユニット１０は、係止部分で堅固に連結されるので、改装等を予定した場合、天井膜材ユニット１０の構造材３からの取り外しが難しい。そこで、必要に応じて天井膜材ユニット１０を構造材３から容易に取り外しできるようにした変形例について、図４（ｂ），図５各図を参照して説明する。
図４（ｂ）（図５（ａ））に示したように、フレーム固定ピース１５と見切り縁材２０の固定ピース１７の取付フランジ長が大きく設定されており、このうち、フレーム固定ピース１５の取付フランジ１５Ａの中間位置に板バネからなる開脚バネ２５が装着されている。この開脚バネ２５は図５（ａ）に示したように、通常は略へ字形に屈曲している。この状態では天井膜材ユニット１０側の吊りピース１６の係止爪が図４（ａ）の場合と同様に係止している。この状態から天井膜材ユニット１０を構造材３から取り外すには、図５（ｂ）に示したように天井膜材ユニット１０同士を接続するとともに構造材３に取り付ける吊りピース１６の下方の隙間から開脚バネ２５の押し上げ用の治具（図示せず）を挿入し、開脚バネ２５を下方から押し上げ、フレーム固定ピース１５の取付フランジ１５Ａの間隔を開く。これにより、取付フランジ１５Ａの係止爪１５ａから吊りピース１６の係止爪１６ａが離脱するので、天井膜材ユニット１０をフレーム固定ピース１５から取り外すことができる（図５（ｃ）参照）。
【００１６】
（変形例２）
次に、天井膜材ユニット１０の枠体フレーム１１の変形例について図４（ｃ），（ｄ）を参照して説明する。
図４（ｃ）に示した枠体フレーム１１は、吊りピース１６が枠体に一体的に形成されており、これにより部品点数を減らすとともに、枠体にレールを形成しないので、枠体の重量軽減にもつながる。断面図から明らかなように、フレーム固定ピース１５の係止爪１５ａの先端が枠体フレーム１１に直接接触するので、フレーム固定ピース１５、見切り縁材２０の固定ピース１７のフランジを短くして構造体３と膜材５との間のクリアランスを小さくすることができ、縁部材１９の高さも枠体フレーム１１の高さに合わせて小さくすることができる。図４（ｄ）は膜材５の端部５ａを膜材定着溝１３内に収容させた状態で膜材定着溝１３内にはめ込む膜材押えバーとして、弾性変形自在な紐状の合成ゴム製の膜材押さえ部材９を用いた変形例を示している。この膜材押さえ部材９は同図に示したように、膜材定着溝１３内にはめ込まれた際に溝形状に膜材５を溝周面に押圧するように倣って変形させ、密着させることができる。
【００１７】
［改修天井膜材の施工］
以上に述べた新設天井膜材の施工に対して、既存建物の内装の改修を想定した場合の天井膜材の施工について図６〜図１１を参照して説明する。既存建物の場合、上階や隣接区画にすでに住民が入居している場合が一般的であり、そのような場合、天井構造材へのドリル等による孔開け作業は、騒音振動の発生が予想されるので行えない。そこで、あらかじめ見切り部分に配置された回り縁３１にフレーム固定ピース３２を固定する構造とした。このとき見切り位置の回り縁３１の側面にフレーム固定ピース３２をネジ（図示せず）等により固定するが、回り縁３１が躯体側に精度良く建て付けられていない場合の調整しろを吊りピース３３と枠体フレーム１１との間に設けることにした。
【００１８】
図７は、回り縁３１の隅角部付近における天井膜材ユニット１０及び見切り縁化粧材２０の取付状態を部分的に示した斜視図である。さらに、その取付状態を図８各図に示した。図８（ａ）に示したように、枠体フレーム１１の上面には吊りピース３３と係止する係止レール１１ｃが一体的に形成されており、このレール１１ｃ部分と吊りピース３３との間に鋸歯状の重なり代調節面３４が形成されている。フレーム固定ピース３２に取り付けた状態で吊りピース３３のフランジ３３ａと係止レール１１ｃとの離れをこの重なり代調整面３４で調整することで、回り縁３１との間のクリアランスのばらつきを解消することができる。その状態で見切り縁化粧材２０の係止爪２０ａをフレーム固定ピース３２の係止爪３２ａに係止するようにして天井膜材ユニット１０の端部の見切り縁とする。図８（ｂ）は、他の変形例として枠体フレーム１１を支持する吊りピース３３のフランジ部分に長孔３３ｂを設け、この長孔３３ｂを介してネジ３４止めにより天井膜材ユニット１０の位置決めをするようになっている。なお、いずれの場合にも見切り縁化粧材２０のフランジ２０ａ部分で枠体フレーム１１の端部を覆うことができる程度の調整しろを有している。また、見切り縁化粧材２０は天井膜材ユニット１０の端部を覆うばかりでなく、天井膜材ユニット１０の一部を支持できるようになっている。
【００１９】
次に、図９，図１０を参照して改修天井膜材の施工手順について説明する。図６に示した平面図にあるように、既存建物において天井回り縁３１が施工されている天井に４枚の天井膜材ユニット１０を取り付ける場合について説明する。図９両図は１枚の天井膜材ユニット１０の長手方向の断面線IX-IXに沿った断面図であり、この場合には図９（ａ）に示したように、あらかじめ天井回り縁３１の所定位置に取り付けられているフレーム固定ピース３２の係止爪３２ａに枠体フレーム１１の端部に取り付けられた吊りピース３３の係止爪３３ａが係合できるように、吊りピース３３の位置を重なり調整しろ部分で前後させるようにして調整し、フレーム固定ピース３２と吊りピース３３との位置関係を確認しながら、天井膜材ユニット１０全体を下方から取り付ける。さらに見切り縁化粧材２０の固定フランジをフレーム固定ピース３２の係止溝に差し込むようにして見切り縁化粧材２０を全周にわたって取り付ける（図９（ｂ）参照）。一方、隣接する天井膜材ユニット１０を取り付ける場合は、図１０（ａ）に示したように、各天井膜材ユニット１０の連結位置に配置された中間固定ピース３５に吊りピース３３の係止爪３３ａを係止して天井膜材ユニット１０全体を吊持させる。さらに最終的に見切り縁化粧材２０をフレーム固定ピース３２に取り付けることで、容易に天井内装を膜材仕様に改修することができる。
【００２０】
［天井膜材ユニット落下防止対策］
既存建物の天井膜材の取り付け工事では、騒音発生防止の観点から、中間固定ピース３５のベースプレート３６を接着剤で天井構造材３に直付けしている。この場合、中間固定ピース３５の接着が十分でない場合、天井膜材ユニット１０の荷重を支えた状態にある中間固定ピース３５が構造材３から剥がれることも予想される。この場合、天井膜材ユニット１０が落下することを確実に回避する必要がある。そこで、本実施の形態では、その落下防止対策として図１１（ａ）に示したような落下防止ワイヤ３７を設けた。この落下防止ワイヤ３７を対向する回り縁３１間に所定本数張設し、この落下防止ワイヤ３７に同図（ｂ）に示したように、吊り下げフック３８を引っ掛けることで中間固定ピース３５による支持が外れた場合にも天井膜材ユニット１０を保持させることができる。なお、吊り下げフック３８は枠体フレーム１１に支持された中間継材１２上にネジ止めされているが、枠体フレーム１１あるいは吊りピース３３の一部に一体的に形成するようにしても良い。
【００２１】
［分割天井膜材ユニットの構造］
上述した天井膜材ユニット１０は、その部屋の面積にもよるが、１枚の全体寸法が９００mm×２６００mm程度のものを想定している。したがって、この天井膜材ユニット１０を取り付ける部屋への搬入が困難な状況も想定できる。そのような状況を勘案して、所定寸法の天井膜材ユニット１０を半割した分割天井膜材ユニット１０を考案した。この分割天井膜材ユニット１０は図１２に示したように、施工予定の大きさの半分の大きさに折り畳まれた状態で施工場所に搬入され、天井膜材ユニット１０の中央位置の蝶番４０を広げるようにして全体の大きさとするようになっている。この蝶番４０の構造は枠体フレーム１１内の中空部１１ｄ内に挿入され、所定位置にネジ４１止めにより平鋼製の押さえバー４２を介して押圧固定され屈曲自在な帯状の合成ゴムプレート４３からなり、搬入時には図１３に２点鎖線で示したように、約１８０°に折り曲げられる。そして図１３，図１４各図に示したように、全長分を広げて枠体フレーム１１を直線状にした状態で押さえバー４２をネジを緩めた状態で長孔１１ｅに沿って矢印Ａ方向（図１４（ｂ））にスライドさせて枠体フレーム１１の接合部Ｊを跨ぐように位置させて添接プレート４４を取り付けた状態でネジ４１，４５を締め付けることで接合部Ｊの剛性を確保して一体化させることができる。これにより、膜材取付工事の迅速化を図ることができる。
【図面の簡単な説明】
【図１】本発明による天井膜材の取付構造の一実施の形態を示した平面図。
【図２】本発明の天井膜材の取付構造の一部を拡大して示した部分斜視図。
【図３】本発明の天井膜材の取付構造の一部を拡大して示した部分斜視図。
【図４】天井膜材の取付構造の取り合い詳細を拡大して示した部分断面図。
【図５】天井膜材の取付構造の一変形例を示した部分断面図。
【図６】既存建物における天井膜材の取付構造の一実施の形態を示した平面図。
【図７】本発明の天井膜材の取付構造の一部を拡大して示した部分斜視図。
【図８】天井膜材の取付構造の取り合い詳細を拡大して示した部分断面図。
【図９】天井膜材の取付構造の取付手順を模式的に示した断面図（長辺方向）。
【図１０】天井膜材の取付構造の取付手順を模式的に示した断面図（短辺方向）。
【図１１】落下防止構造の一例を部分的に示した部分断面図。
【図１２】分割天井膜材ユニットの施工例を模式的に示した略斜視図。
【図１３】分割天井膜材ユニットの蝶番の折曲状態を拡大して示した部分断面図。
【図１４】分割天井膜材ユニットの蝶番構造を拡大して示した平面図、断面図。
【符号の説明】
１  天井
２  壁
３  構造材
５  膜材
１０  天井膜材ユニット
１１  枠体フレーム
１２  中間継材
１３  膜材定着溝
１４  膜材押さえバー
１５，３２  フレーム固定ピース
１６，３３  吊りピース
１９  縁部材
２０  見切り縁化粧材
２５  開脚バネ
３１  回り縁
３５  中間固定ピース
３７  落下防止ワイヤ
４０  蝶番
【図１】
0004698060.tif 000002
【図２】
0004698060.tif 000003
【図３】
0004698060.tif 000004
【図４】
0004698060.tif 000005
【図５】
0004698060.tif 000006
【図６】
0004698060.tif 000007
【図７】
0004698060.tif 000008
【図８】
0004698060.tif 000009
【図９】
0004698060.tif 000010
【図１０】
0004698060.tif 000011
【図１１】
0004698060.tif 000012
【図１２】
0004698060.tif 000013
【図１３】
0004698060.tif 000014
【図１４】
0004698060.tif 000015